(57)【要約】      （修正有）【課題】コンテナ起重機装置のコンテナ吊り上げ過程において、コンテナ中の放射線探測を行う。【解決手段】コンテナ起重機上に設けられた搬送車から吊り下げられた吊り具上に、放射線探測装置を設け、搬送車がコンテナを吊り上げ運ぶと同時に、放射線探測装置がコンテナ中の物体に対して放射線探知検査を行う。また、放射線探測装置と相対する位置に放射源体とコンピュータ画像形成システムを設け、コンテナ中の物体の画像を形成する。【選択図】図１
2007284253.tif 000002
【特許請求の範囲】
【請求項１】
起重機、起重機上に設けられた搬送車と搬送車の駆動機構を有し、搬送車の駆動機構が搬送車を横方向に運動させ、搬送車の駆動装置上から垂れ下がった吊りケーブル上の吊り具でコンテナをつかみ、搬送車を移動してコンテナを運ぶ起重機装置において、前記搬送車上に放射線探測装置を設け、搬送車がコンテナを運ぶと同時に、放射線探測装置がコンテナ中の物体に対して放射線の探知検査を行うように設けられることを特徴とするコンテナ起重機装置。
【請求項２】
請求項1記載のコンテナ起重機装置において、前記放射線探測装置は支持フレームと探測器の支枠を有し、支持フレームと吊り具とは対応する形状を有し、且つ支持フレームがケーブルを通じて吊り具上から垂れ下がっており、また、探測器の支枠が支持フレームの側面に設けられ、探測器の支枠上に放射線探測器が設けられることを特徴とするコンテナ起重機装置。
【請求項３】
請求項２記載のコンテナ起重機装置において、前記支持フレームの側面には運動軌道が設けられ、探測器の支枠が、運動軌道の上に設けられて、駆動装置の駆動により支持フレームに沿って運動できるように設けられることを特徴とするコンテナ起重機装置。
【請求項４】
請求項３記載のコンテナ起重機装置において、コンピュータの画像形成システムをも有し、前記支持フレームのもう一つの側面にも運動軌道が設けられ、放射線探測装置は放射源体をも有し、放射源体が探測器の支枠と対応する支持フレームの他側運動軌道上に設けられ、支持フレームの両側における探測器の支枠と放射源体が駆動装置の駆動により支持フレームに沿って同期的運動を行うことができ、コンピュータ画像形成システムが放射源体のスキャンしたデータによって画像形成するように設けられることを特徴とするコンテナ起重機装置。
【請求項５】
請求項２、３、又は４記載のコンテナ起重機装置において、前記支持フレームにはまた位置固定装置が設けられ、それによって吊り具と支持フレームとを一体として固定することを特徴とするコンテナ起重機装置。
【発明の詳細な説明】
【技術領域】
【０００１】
本発明は、コンテナ起重機装置に関する。
【従来の技術】
【０００２】
従来のコンテナ起重機装置は、起重機、起重機上に設けられた搬送車とその駆動機構を有し、その駆動機構で搬送車を横方向に運動させて、搬送車の駆動装置の上から懸垂するケーブル上の吊り具でコンテナをつかみ、運搬車を移動してコンテナを運ぶものである。しかし、コンテナを運ぶ過程において、その中の物体について探知検査することができない。画像形成探測装置を設ける場合、地面上に一つの遮蔽体を有する建造物を作る必要があり、コンテナの探測装置をその中に置き、搬送装置を用いてコンテナを建造物の中に運んではじめてそれを探測することができる。そして、コンテナを吊り上げて運搬する過程において、それを直接探知検査できないなら、コンテナで核物質などの放射性物質を運送することを未然に防ぐことは難しい。それでは、仕事が煩雑な港湾及び関係区域において、コンテナに対して探知検査を行う場合、余分の建築スペースと余分の運送と探知検査用の時間が必要となる。
【発明の内容】
【０００３】
本発明は、従来のコンテナ起重機装置がコンテナの中に危険な放射性物質があるか否かについて探知検査できないという問題を解決するため、新たなコンテナ起重機装置を提供する。
【０００４】
前記目的を実現するため、本発明は、以下の技術を用いる。即ち、コンテナ起重機装置であって、起重機、起重機上に設けられた搬送車とその駆動機構を有し、搬送車の駆動機構が搬送車を横方向への運動を可能にし、搬送車の駆動装置上から垂下する吊りケーブル上の吊り具でコンテナをつかみ、搬送車を移動してコンテナを運搬するものであって、前記搬送車上に放射線探測装置を設け、搬送車がコンテナを運ぶと同時に、放射線探測装置がコンテナ中の物体に対して放射線の探知検査を行うように設けられることを特徴とするコンテナ起重機装置を与える。
【０００５】
前記放射線探測装置は支持フレームと探測器の支枠を有し、支持フレームと吊り具とは対応する形状を有し、且つ支持フレームがケーブルを通じて吊り具から垂下し、また、探測器の支枠が支持フレームの側面に設けられ、探測器の支枠上に放射線探測器が設けられる。
【０００６】
前記支持フレームの側面にはまた運動軌道が設けられ、探測器の支枠が、運動軌道上に設けられ、駆動装置の駆動により支持フレームに沿って運動できる。
【０００７】
また、前記コンテナ起重機装置は、コンピュータの画像形成システムも有し、前記支持フレームのもう一つの側面にも運動軌道が設けられ、放射線探測装置はまた放射源体をも有し、放射源体は探測器の支枠と相対する支持フレームの他側の運動軌道上に設けられ、支持フレームの両側における探測器の支枠と放射源体が駆動装置の駆動の下に支持フレームに沿って同期的運動を行うことができ、コンピュータ画像形成システムは放射源体がスキャンしたデータに基づいて画像を形成する。
【０００８】
前記支持フレームには、また、位置固定装置が設けられ、それによって吊り具と支持フレームとを一体として固定する。
【０００９】
前記技術を用いることにより、搬送車上に放射線探測装置を設け、コンテナを吊り上げて運搬する過程において、その中に危険な物質が存在するか否かについての探知検査を完成できるため、従来のコンテナ起重機装置が危険な放射性物質を探知検査できないという技術上の問題を解決した。その他、放射線探測装置を設けると同時に、それに対応する放射源体とコンピュータ画像形成システムを設けるので、コンピュータ画像形成システムは、放射源体がスキャンしたデータによって画像形成を行いコンテナ中の物体を表示して、且つコンテナの吊り上げ運搬過程においてその探知検査を完成できるので、仕事が煩雑な港湾及び関係区域でコンテナに対して探知検査を行うためにかかる余分の建造用の場所と運送、探知検査用の時間を大幅に減少することができる。
【具体的な実施例】
【００１０】
実施例１
図面１に示すように、コンテナ起重機装置であって、起重機１、起重機１上に設けられた搬送車２と搬送車の駆動機構を有し、搬送車の駆動機構が搬送車２の横方向の運動を可能にし、搬送車２の上方から垂れ下がった吊りケーブル９上の吊り具３でコンテナをつかみ、搬送車を移動してコンテナを運ぶ。また、搬送車の上に図面２、３に示す放射線探測装置を設け、搬送車２がコンテナを運ぶと同時に、放射線探測装置がコンテナ中の物体に対して放射線による探知検査を行う。放射線探測装置は、支持フレーム４、探測器の支枠５と駆動装置８を含み、支持フレーム４と吊り具３とは対応する形状を有し、且つ支持フレーム４がケーブル１０を通じて搬送車２上から垂下し、また、支持フレーム４の両側には運動軌道４１が設けられている。探測器の支枠５は、支持フレーム４の両側にある運動軌道４１上に設けられ、駆動装置８の駆動により支持フレーム４に沿って運動できる。
【００１１】
また、支持フレーム４には、位置固定装置７が設けられ、それによって吊り具３と支持フレーム４とを一体として固定することができる。それらを当初より一体に作ることもできる。
【００１２】
以下、船からコンテナを下ろす場合を例として、その作業過程について説明を行う。
【００１３】
１．図面４、５に示すように、放射線探測装置が一定の高度のところで垂れ下がっており、吊り具が続けて降下して、船にあるコンテナをつかんでから、上昇し始める。
【００１４】
２．吊り具が放射線探測装置の位置まで上昇してから、位置固定装置を通じて固定して、二つのシステムが同時に運動し、放射線探測装置も同時に作動を開始する。
【００１５】
３．放射線探測装置中の探測器が探知検査して得た結果をネットワークに転送し、且つそれを税関のデータベースに保存して、そして探知検査を完了する。
【００１６】
実施例２
図面６、７に示すように、実施例１に示す装置に、さらにコンピュータの画像形成システムを加える。即ち、支持フレームの両側に設けられた運動軌道の一方の運動軌道上に探測器の支枠５、もう一つの運動軌道上に探測器の支枠と相対する放射源体６が設けられる。支持フレームの両側における探測器の支枠５と放射源体６が駆動装置８の駆動により支持フレーム４に沿って同期的運動を行うことができ、コンピュータ画像形成システムは放射源体がスキャンしたデータに基づいて画像を形成する。
【００１７】
図面中、１は起重機、２は搬送車、３は吊り具、４は支持フレーム、４１は運動軌道、５は探測器の支枠、６は放射源体、７は位置固定装置、８は駆動装置、９は吊りケーブル、１０はケーブルである。
【図面の簡単な説明】
【００１８】
【図１】図１は、本発明の実施例１の立体構造の概念図である。
【図２】図２は、本発明の実施例１中の、画像形成探測装置とコンテナを吊り上げる吊り具とを一緒に固定した時の横方向より見た構造概念図である。
【図３】図３は、本発明の実施例１中の、画像形成探測装置とコンテナを吊り上げる吊り具とを一緒に固定した時の縦方向より見た構造概念図である。
【図４】図４は、本発明の実施例１中の、画像形成探測装置とコンテナを吊り上げる吊り具とを固定していない時の横方向より見た構造概念図である。
【図５】図５は、本発明の実施例１中の、画像形成探測装置とコンテナを吊り上げる吊り具とを固定していない時の縦方向より見た構造概念図である。
【図６】図６は、本発明の実施例２の立体構造の概念図である。
【図７】図７は、本発明の実施例２中の、画像形成探測装置とコンテナを吊り上げる吊り具とを一緒に固定した時の縦方向より見た構造概念図である。
【図１】
2007284253.tif 000003
【図２】
2007284253.tif 000004
【図３】
2007284253.tif 000005
【図４】
2007284253.tif 000006
【図５】
2007284253.tif 000007
【図６】
2007284253.tif 000008
【図７】
2007284253.tif 000009